(57)【要約】本発明は、銀イオン水加湿方法およびその装置に関し、さらに詳細には、一般水、蒸溜水、または精製水に沈んでいる複数の銀棒または銀板にＤＣまたはＡＣ電源を供給し電気分解させて銀イオン水を生成し、この生成された銀イオン水を超音波振動子により霧化して空気中に噴霧することによって、殺菌効果を高めるとともに有害細菌またはウイルスによる呼吸器感染を予防する。
2004524875.tif 000002
【特許請求の範囲】
【請求項１】
一般水、蒸溜水、または精製水に沈んでいる複数の銀棒または銀板にＤＣまたはＡＣ電源を供給して電気分解させて銀イオン水を生成し；
生成された銀イオン水を超音波振動子、加熱装置、または遠心装置で霧化し；
霧化された銀イオン水を空気中に噴霧し、その空気を加湿および殺菌することを特徴とする、銀イオン水を用いた加湿方法。
【請求項２】
前記精製水は、水貯蔵・供給部の下部に設けられたイオン交換樹脂部で前記一般水を精製することによって得られたことを特徴とする請求項１に記載の銀イオン水を用いた加湿方法。
【請求項３】
前記蒸留水は、前記一般水を加熱および冷却させて得られたことを特徴とする請求項１に記載の銀イオン水を用いた加湿方法。
【請求項４】
蒸溜水発生手段部で一般水を加熱して蒸溜水を生成し；
生成された蒸留水を用いて銀イオン水発生手段部で銀イオン水を生成し；
生成された銀イオン水を超音波振動子の振動により霧化することによって前記銀イオン水による加湿が連続して行われるようにしたことを特徴とする請求項１に記載の銀イオン水を用いた加湿方法。
【請求項５】
前記銀イオン水は、前記複数の銀棒または銀板に高電圧のＤＣ電源を供給する方法、または、前記複数の銀棒または銀板にヒータを連結して加熱した後、高電圧のＤＣまたはＡＣ電源を供給する方法により前記一般水から得られたことを特徴とする請求項１に記載の銀イオン水を用いた加湿方法。
【請求項６】
前記銀棒または銀板は純度９９．９９％以上の純銀からなり、電気分解された銀粒子の大きさは０．００５〜０．０１５μmであることを特徴とする請求項１ないし５のいずれか一項に記載の銀イオン水を用いた加湿方法。
【請求項７】
本体部と；
蓋部と；
水貯蔵・供給部と；
銀イオン水生成手段部と；
超音波振動子、加熱装置、または遠心装置を有する蒸発手段と、送風ファンを有する噴霧手段とからなる霧発生手段部と；
調節部と；から構成されたことを特徴とする銀イオン水を用いた加湿装置。
【請求項８】
一般水を精製するように水貯蔵・供給部の下部に設けられたイオン交換樹脂部をさらに含み；
前記銀イオン水生成部は、前記イオン交換樹脂部の下部に取り付けられ、複数の銀棒または銀板を有し、該銀棒または銀板は、電源に接続されて前記イオン交換樹脂部により精製された水に電気分解されて銀イオン水を生成するように構成され；
前記蒸発手段は、超音波振動子を備えて前記銀イオン水を霧化して空気中に噴霧させるように構成されたことを特徴とする請求項７に記載の銀イオン水を用いた加湿装置。
【請求項９】
水タンクと、熱交換および水蒸気冷却部、冷却板、冷却ファン、前記一般水を加熱するヒータと、一定の水位に調節するための水位センサーと、給水管と、水蒸気排出管とからなる蒸溜水発生手段部をさらに含み、
前記銀イオン水発生手段部は、前記蒸留水発生手段部で蒸留された水に電気分解されるように電源に連結された多数の銀棒または銀板と、該銀棒または銀板に電源を交番・交差して供給できるように設けられたマイコンとを有し、
前記加湿発生手段部は、銀イオン水発生手段部から発生した銀イオン水の不純物を濾すフィルターリング部をさらに有し、前記銀イオン水が前記超音波振動子により霧化され、前記送風ファンにより空気中に噴霧されることを特徴とする請求項７に記載の銀イオン水を用いた加湿装置。
【請求項１０】
前記水貯蔵・供給部に取り付けられた複数の銀棒または銀板を有する銀棒または銀板固定部と；
前記複数の銀棒または銀板と電気的に接続されるように構成された電源供給接点部と、前記本体部に取り付けられたバネとを含む電源供給部と；
前記蓋部の開放時に電源を遮断する電源遮断部と；をさらに含むことを特徴とする請求項７に記載の銀イオン水を用いた加湿装置。
【請求項１１】
前記電源供給接点部を通じて各銀棒または銀板にＤＣまたはＡＣ電源を供給してその銀棒または銀板が電解されて銀イオン水が生成される一連の過程を順次的に表示するよう、前記本体部の前面パネルに取り付けられる点滅灯と；
湿気による短絡および漏電を防止するためのセンサーと；
前記本体部に取り付けられたリードスイッチと、前記蓋部に取り付けられたマグネチックとを有する電源遮断部と、含み、全ての部材および過程を制御する制御部をさらに含むことを特徴とする請求項１０に記載の銀イオン水を用いた加湿装置。
【請求項１２】
前記銀棒または銀板が前記水貯蔵・供給部に取り付けられるのではなく、本体の中央部上に形成された別途空間部内に取り付けられ；
前記複数の銀棒または銀板には高電源が交番・交差して供給されるか、熱と共に高電源が供給されて短時間で銀イオン水を生成し；
この生成された銀イオン水は、超音波振動子により霧化されて送風ファンにより空気中に噴霧されることを特徴とする請求項１１に記載の銀イオン水を用いた加湿装置。
【発明の詳細な説明】
【技術分野】
【０００１】
本発明は、銀イオン水を用いた加湿方法およびその装置に関し、さらに詳細には、一般水より銀イオン水を製造し、これを超音波振動装置、加熱装置、遠心装置で蒸発させて空気中に噴霧することにより、殺菌効果を高めるとともに有害細菌またはウイルスによる呼吸器感染を予防できる加湿方法およびその装置に関する。
【背景技術】
【０００２】
周知の如く、降雨量がごく少なく、寒さによる湿気の結氷により湿度が著しく落ちる冬季には周囲空気が乾燥することになり、しかも、家庭や事務室で使用する暖房機から発生する熱および事務・家電製品などの電熱器から発生する熱によりその室内空気は一層乾燥してしまう。このように乾いた状態が続くと、身体に悪影響を及ぼしてさまざまな病気を誘発するので好ましくない。
【０００３】
このような問題を解決するために、乾いた室内に人為的に湿気を生成・噴霧する加湿器を使用するが、加湿器は、その湿気の生成原理によって大きく二つに分けられる。つまり、水槽内に貯留された水を所定の温度に加熱することによって発生する水蒸気を室内に自然噴霧するヒータ加湿器と、水槽内に貯留された水に振動による超音波を発生させて微細化した水粒子を室内に噴霧させる超音波加湿器とがある。
【０００４】
しかし、前記ヒータ加湿器は、水槽内の水を加熱させることによって発生する水蒸気で室内を加湿し、任意に加湿量を調節するのが非常に難しいという問題点があるため、今は、消費者が振動子の振動により発生する超音波を用いて加湿量を適宜調節できるようにした超音波加湿器が大きな呼応を浴びている。
【０００５】
従来の超音波加湿器は、上端に所定量の水が貯蔵される水槽および加湿槽が形成された本体と、水を貯蔵・供給するために前記水槽に安着する水桶と、前記加湿槽に設置されて水を振動させて霧を発生させる振動子組立体と、前記霧を室内に誘導する霧排出管と、から構成されている。
【０００６】
ここで、前記水桶の底面一側には水を間欠的に水槽に排出する給水口が設けられており、前記霧排出管の上部には霧の吐出方向を調整できる吐出口が形成されており、前記本体の内部空間部には霧が霧排出管から室内に円滑に吐出されるようにファンが設けられている。
【０００７】
また、前記振動子組立体は、振動による超音波を発生させて水を微細粒子の霧に変換させる振動子と、中空の内部を有する円筒形に形成されてその内部に前記振動子が傾いた状態で振動可能に設置されるようにしたゴムパッキングと、前記ゴムパッキングが挿設されるように下向きに凹入された挿入溝が形成され、加湿槽底面に螺合される振動子カバーと、前記振動子を振動させるための電磁気力制御手段が内入されて前記振動子カバーの下部に設置されるケースと、から構成される。
【０００８】
上述したように、前記本体上端の水槽に安着された水桶に貯まっている水は、間欠的に給水口を通じて水槽を経由しながら加湿槽に供給され、前記振動子はケースに内蔵された電磁気力制御手段によりゴムパッキングで振動しながら超音波を生成し水柱を形成することによって、微細化した水粒子の霧を発生させる。このように発生された霧は、ファンの作用により霧排出管に沿って吐出口から室内に吐出される。
【０００９】
最近では、水中の細菌が殺菌されなかった状態で霧を室内に噴霧すると、身体、特に患者や乳児にきわめて有害であるという点に鑑みて水を加熱するヒータ付きの殺菌槽を具備したり、加湿槽内の水を加熱することによって水分子を弛緩させて振動子の振動による霧化効率を向上させるように加湿槽内にヒータを取り付けたりしている。しかし、この場合、加熱した水、つまり、熱水加湿により振動子を１４０〜１５０℃のキュリー点以上に加熱させてしまうため、振動子の磁性を変換させ、振動子の効率および寿命を大きく低下させてしまうという問題点があった。
【発明の開示】
【００１０】
（発明の要約）
したがって、本発明は、上記の従来の問題点に鑑みてなされたものであり、その目的は、一般水より銀イオン水を製造し、超音波の発生を利用して銀イオン水を霧化させて空気中に噴霧することによって、殺菌効果を高め、有害細菌またはウイルスによる呼吸器感染を予防できる、銀イオン水を用いた加湿方法およびその装置を提供することにある。
【００１１】
本発明の他の目的は、加湿器の内部を別途殺菌する必要がない銀イオン水を用いた加湿方法およびその装置を提供することにある。
【００１２】
本発明のさらに他の目的は、蒸溜水から得た銀イオン水を使用する銀イオン水加湿方法およびその装置を提供することにある。
【００１３】
本発明のさらに他の目的は、一般水から得た銀イオン水を使用する銀イオン水加湿方法およびその装置を提供することにある。
【００１４】
上記の目的を達成するために、本発明に係る銀イオン水加湿方法は、一般水、蒸溜水、または精製水に沈んでいる複数の銀棒または銀板にＤＣまたはＡＣ電源を供給して電気分解させて銀イオン水を生成し；生成された銀イオン水を超音波振動子、加熱装置、または遠心装置で霧化し；霧化された銀イオン水を空気中に噴霧し、その空気を加湿および殺菌することを特徴とする。
【００１５】
また、本発明に係る銀イオン水加湿装置は、本体部と；蓋部と；水貯蔵・供給部と；銀イオン水生成手段部と；超音波振動子、加熱装置、または遠心装置を有する蒸発手段と、送風ファンを有する噴霧手段とからなる霧発生手段部と；調節部と；から構成されることを特徴とする。
【００１６】
（図面の簡単な説明）
図１  本発明の好ましい実施例に係る銀イオン水加湿方法による加湿装置を示す分解斜視図である。
図２  図１の銀イオン水加湿装置を示す断面図である。
図３  本発明の他の実施例に係る銀イオン水加湿方法による加湿装置を示す部分切開斜視図である。
図４  図３の部分切開断面図である。
図５  図３の蒸溜水発生手段部を示す断面図である。
図６  図３の銀イオン水発生手段部を示す断面図である。
図７  従来の加湿器を示す外形図である。
図８  本発明のさらに他の実施例に係る加湿器の本体を示す平面図である。
図９  図８の本体部に取り付けた水貯蔵・供給部の構造を示す断面図である。
図１０  本体部と水貯蔵・供給部の電源供給およびその接点部を示す断面図である。
図１１  加湿器の蓋部をオープンするとき電源を遮断するための構成を示す断面図。
図１２  図８の他の実施例によって本体部に構成された電源供給部の接点部を示す断面図である。
図１３  図１０の他の実施例を示す断面図である。
図１４  図１１の他の実施例による電源遮断部を示す断面図である。
図１５  本発明のさらに他の実施例によって本体部内に別途形成された空間部を示す断面図である。
【発明を実施するための最良の形態】
【００１７】
以下、本発明の好ましい実施例を添付図面を参照しつつ詳細に説明する。図面中、同一部材には可能な限り同一の符号および番号を付けるものとする。
【００１８】
図１および図２に示すように、本発明による加湿器は、水貯蔵・供給部４６の下部にイオン交換樹脂部４８を含み、該イオン交換樹脂部４８より精製された水を銀棒または銀板１０に供給して銀を電気分解して銀イオン水を生成し、これで加湿を行う。
【００１９】
さらに詳細に説明すると、図１および図２に示した加湿器は、水貯蔵・供給部４６と；該水貯蔵・供給部４６の下部に設けられて水中の金属および非金属などを精製するイオン交換樹脂部４８と；該イオン交換樹脂部４８の下部に設けられ、前記精製された水に銀が電気分解されるように電源に接続される銀棒と銀板１０を有する銀イオン水生成部４７と；前記銀イオン水を霧化するための超音波振動子１１と；を含めてなる。
【００２０】
前記水貯蔵・供給部４６は、垂直に貫通された部分の上端に設けられた霧排出口１、取っ手２、水ストッパー３、およびイオン交換樹脂部４８に一定量の水を供給するように設けられた水排出口４'を含む。
【００２１】
前記イオン交換樹脂部４８は、一側面に形成されて霧が噴霧されるようにする貫通口５と、上部に形成された水吸入部４と、その対角方向の下部に形成された水排出口１５と、水中の金属と非金属などの不純物を除去して銀イオン水が容易に生成されるようにするイオン交換樹脂１３と、を含む。
【００２２】
前記銀イオン水生成部４７は、前記イオン交換樹脂部４８の下部に取り付けられ、複数の銀棒または銀板１０を有する。ここで、前記銀棒または銀板１０は電源に接続されて前記イオン交換樹脂部４８により精製された水に電気分解されて銀イオン水を生成する。該生成された銀イオン水は、超音波振動子１１によって霧化されて空気中に噴霧される。
【００２３】
前記銀棒または銀板１０は均一に電気分解されるように、ＤＣまたはＡＣ電源が交番・交差して供給され、このような動作は、制御パネル１２およびマイコン１４によって制御される。
【００２４】
また、図３ないし図６に示すように、本発明の他の実施例による加湿器は、一般水を加熱して蒸溜水を製造する蒸溜水発生手段部７０と；該蒸溜水発生手段部７０から生成された蒸溜水を用いて銀イオン水を製造する銀イオン水発生手段部５０と；前記銀イオン水を霧化・噴霧して加湿が連続して行われるようにする加湿発生手段部６０と、を含めて構成される。
【００２５】
前記蒸溜水発生手段部７０は、水を貯蔵する水タンク２２と、該水タンク２２に連結される給水管２４と、該給水管２４に装着された開閉弁２５と、一般水と水蒸気貯蔵部との中央に装着された冷却板３２と、水蒸気を冷却させるように多数の放熱板が装着された熱交換および水蒸気冷却部４５と、水を加熱するように装着されたヒータ４４と、一定の水位を測定する水位センサー４３と、を含む。ここで、前記開閉弁２５は、前記ヒータ４４の過熱を感知し、それに応じて開閉される。
【００２６】
このとき、水タンク２２から前記給水管に流入される水と水蒸気排出管２６から排出される霧との熱交換は、前記冷却板３２上で行われる。
【００２７】
また、図６に示した銀イオン水発生手段部５０は、多数の銀棒または銀板４２と、該銀棒または銀板４２に電源を交番・交差して供給できるように設けられた、マイコンが内蔵された回路部４１と、を有する。
【００２８】
図６に示すように、加湿発生手段部６０は、銀イオン水発生手段部５０から発生した銀イオン水の不純物を濾すフィルターリング部３６と、前記銀イオン水を霧化させる超音波振動子３７と、前記霧化された銀イオン水を外部に噴出させる送風ファン３４と、から構成される。
【００２９】
次いで、上記のように構成された本発明による銀イオン水加湿器の加湿方法を詳細に説明する。
【００３０】
まず、電源が調節部に印加されて前記ヒータ部４４に印加されると、該ヒータ部４４により一般水が前記水タンク２２に供給され水蒸気となる。このように生成された水蒸気は水蒸気排出管２６を通過して前記冷却板３２で冷却されて蒸溜水となる。このとき、前記一般水と水蒸気との間には熱交換が起こるが、その熱效率を高めるために前記冷却板３２はチタニウムまたはステンレス板材を用いてプラスチック成形時にインサート作業で作製される。
【００３１】
本発明の他の実施例では、熱交換および水蒸気冷却部４５が多数の穴の形成された板材内に形成され、前記水蒸気の冷却のために前記水蒸気排出管の外部に多数の冷却ピンがさらに形成される。
【００３２】
前記蒸溜水は銀イオン水発生手段部５０に供給されて多数の銀棒または銀板４２の電気分解により銀イオン水となるが、このとき、前記銀棒または銀板４２は電源に接続され、マイコンを内蔵した回路部４１が作動してＤＣまたはＡＣ電源を交番・交差して供給する。
【００３３】
このように製造された銀イオン水がフィルターリングされた後加湿発生手段部６０に供給されると、その超音波振動子３７は超音波を発生させて水柱を生成し、これにより、前記銀イオン水は微細粒子の霧に変換される。また、前記超音波振動子３７は熱交換および水蒸気冷却部４５で冷却される。
【００３４】
その後、前記霧化された銀イオン水は前記送風ファン３４により霧化管に沿って霧吐出口２７から室内に吐出されながら室内の湿度を調節するが、このとき、噴霧される加湿量は、室内の温度と湿度に基づいて調節部により調節される。
【００３５】
一方、図７には本発明の理解を助けるために従来の加湿器を示した。
【００３６】
次いで、図８ないし図１１を参照すれば、本発明によるさらに他の加湿器は、水貯蔵・供給部１９０と、該水貯蔵・供給部１９０に取り付けられた複数の銀棒または銀板９０'と、本体部２００の接点部５０'と、振動子７０'と、を含む。ここで、前記複数の銀棒または銀板９０'は９９．９９％以上の純度を有し、電源に電気的に接続されている。
【００３７】
図９および図１０に示すように、前記水貯蔵・供給部１９０は、その両側に形成された接点溝１３０'、ボルト１００'、ナット１２０'、および密閉パッキング１１０'を有し、前記接点溝１３０'に銀棒または銀板９０'が挿入されて結合ボルト１００'、ナット１２０'、および密閉パッキング１１０'により結合される。
【００３８】
図１０に示すように、前記複数の銀棒または銀板９０'は、本体部２００のプッシュ接点部５０'と連結されて電解されるように構成した。また、前記プッシュ接点部５０'は円滑に接点されるようにバネ６０'に連結されている。
【００３９】
図１１に示すように、電源遮断部１６０'は、前記本体部に取り付けられたプッシュスイッチ３０'と、前記蓋部１０'に取り付けられた接点棒４０'とを含み、蓋が開けると、接点棒４０'が押圧しているプッシュスイッチ３０'がオフされて電源が遮断されるように構成している。
【００４０】
図１２は本発明の他の実施例を示す図であり、ここで、電源供給部は、水貯蔵・供給部と接続され、突出状の接点棒４０−１と、湿気による漏電を感知するためのセンサー４０−２とを含む。
【００４１】
図１３は、水貯蔵・供給部と電源供給部間の結合状態を示す図であり、ここで、電源供給部は、突出状の接点棒４０−１とセンサー４０−２を含んで水貯蔵・供給部内に装着された複数の銀棒または銀板と接点結合されている。
【００４２】
図１４に示した他の実施例において、電源遮断部１６０'は、本体部に取り付けられたリードスイッチ５０−１と、蓋部に取り付けられたマグネチック３０−１とを含んで前記蓋部の開放時に電源が遮断されるように構成されている。
【００４３】
以下、このように構成された加湿器による加湿方法を詳細に説明する。
まず、前記水貯蔵・供給部１９０に水および電源が供給されると、電源供給部５０'、４０−１を通じて前記水貯蔵・供給部１９０に取り付けられた前記複数の銀棒または銀板６０'、９０'に電源が供給されてその銀棒または銀板６０'、９０'の電気分解された銀イオン水が生成される。このとき生成される銀イオン水は、前記水貯蔵・供給部１９０の底端に配設された蓋１４０'に沿って排出され、超音波振動子７０'により霧化されて空気中に排出される。
【００４４】
図１５は、本発明のさらに他の実施例による加湿器を示す図であって、複数の銀棒または銀板６０−１が水貯蔵・供給部に取り付けられるのではなく、本体の中央部上に形成された別途空間部１５０'−１内に取り付けられる。したがって、前記複数の銀棒または銀板６０−１には高電源が交番・交差して供給されるか、熱と共に高電源が供給されて短時間で銀イオン水を生成し、この生成された銀イオン水は超音波振動子により霧化されて空気中に噴霧される。
【００４５】
以上の説明では具体的な実施例に上げて説明してきたが、本発明はこれに限定されるのではなく、本発明の範囲内で様々な変形実施が可能であることは言うまでもない。したがって、本発明の範囲は、前述の実施例によって定められてはいけなく、特許請求の範囲とそれに均等なものによって定められるべきである。
【産業上の利用可能性】
【００４６】
以上の如く、本発明の銀イオン水を利用した加湿方法およびその装置は、人体に無害で、優れた殺菌能力を有する銀イオン水を使用するため、別途の殺菌処理を行わなくても有害細菌またはウイルスの増殖を防ぐことができ、その結果、優れた加湿能力は勿論、有害細菌またはウイルスの増殖に対する優れた防止効果を呈する。また、本発明は、有害細菌またはウイルスによる呼吸器感染を治療および防止する効果もある。
【図面の簡単な説明】
【００４７】
【図１】本発明の好ましい実施例に係る銀イオン水加湿方法による加湿装置を示す分解斜視図である。
【図２】図１の銀イオン水加湿装置を示す断面図である。
【図３】本発明の他の実施例に係る銀イオン水加湿方法による加湿装置を示す部分切開斜視図である。
【図４】図３の部分切開断面図である。
【図５】図３の蒸溜水発生手段部を示す断面図である。
【図６】図３の銀イオン水発生手段部を示す断面図である。
【図７】従来の加湿器を示す外形図である。
【図８】本発明のさらに他の実施例に係る加湿器の本体を示す平面図である。
【図９】図８の本体部に取り付けた水貯蔵・供給部の構造を示す断面図である。
【図１０】本体部と水貯蔵・供給部の電源供給およびその接点部を示す断面図である。
【図１１】加湿器の蓋部をオープンするとき電源を遮断するための構成を示す断面図。
【図１２】図８の他の実施例によって本体部に構成された電源供給部の接点部を示す断面図である。
【図１３】図１０の他の実施例を示す断面図である。
【図１４】図１１の他の実施例による電源遮断部を示す断面図である。
【図１５】本発明のさらに他の実施例によって本体部内に別途形成された空間部を示す断面図である。
【符号の説明】
【００４８】
１    霧排出口
２    取っ手
３    水ストッパー
４    水吸入部
４'    水排出口
５    貫通口
１０  銀板
１０'  蓋部
１１  超音波振動子
１２  制御パネル
１３  イオン交換樹脂
１４  マイコン
１５  水排出口
２２  水タンク
２４  給水管
２５  開閉弁
２６  水蒸気排出管
２７  霧吐出口
３０'  プッシュスイッチ
３０−１  マグネチック
３２  冷却板
３４  送風ファン
３６  フィルターリング部
３７  超音波振動子
４０'  接点棒
４０−１  接点棒
４０−２  センサー
４１  回路部
４２  銀板
４３  水位センサー
４４  ヒータ
４５  水蒸気冷却部
４６  水貯蔵・供給部
４７  銀イオン水生成部
４８  イオン交換樹脂部
５０  銀イオン水発生手段部
５０'  接点部・プッシュ接点部
５０−１  リードスイッチ
６０  加湿発生手段部
６０'  バネ
６０−１  銀板
７０  蒸溜水発生手段部
７０'  振動子・超音波振動子
９０'  銀板
１００'  ボルト
１１０'  密閉パッキング
１２０'  ナット
１３０'  接点溝
１４０'  蓋
１５０'−１  別途空間部
１６０'  電源遮断部
１９０  水貯蔵・供給部
２００  本体部
【図１】
2004524875.tif 000003
【図２】
2004524875.tif 000004
【図３】
2004524875.tif 000005
【図４】
2004524875.tif 000006
【図５】
2004524875.tif 000007
【図６】
2004524875.tif 000008
【図７】
2004524875.tif 000009
【図８】
2004524875.tif 000010
【図９】
2004524875.tif 000011
【図１０】
2004524875.tif 000012
【図１１】
2004524875.tif 000013
【図１２】
2004524875.tif 000014
【図１３】
2004524875.tif 000015
【図１４】
2004524875.tif 000016
【図１５】
2004524875.tif 000017
【国際公開パンフレット】
2004524875.tif 000018
2004524875.tif 000019
2004524875.tif 000020
2004524875.tif 000021
2004524875.tif 000022
2004524875.tif 000023
2004524875.tif 000024
2004524875.tif 000025
2004524875.tif 000026
2004524875.tif 000027
2004524875.tif 000028
2004524875.tif 000029
2004524875.tif 000030
2004524875.tif 000031
2004524875.tif 000032
2004524875.tif 000033
2004524875.tif 000034
2004524875.tif 000035
2004524875.tif 000036
2004524875.tif 000037
2004524875.tif 000038
2004524875.tif 000039
2004524875.tif 000040
2004524875.tif 000041
2004524875.tif 000042
2004524875.tif 000043
2004524875.tif 000044
2004524875.tif 000045
2004524875.tif 000046
2004524875.tif 000047
2004524875.tif 000048
2004524875.tif 000049
【国際調査報告】
2004524875.tif 000050